(57)【特許請求の範囲】
【請求項１】
絶縁碍子と、前記絶縁碍子内を貫通した状態で設けられて先端が該絶縁碍子の先端から外部に導出された中心導体とを備えて、該中心導体の先端の外周に雄ネジ部が設けられ、前記中心導体の先端の軸芯部には開口端部にテーパ孔部を有する端子挿入穴が形成されている変圧器用ブッシングにおいて、
前記中心導体の先端の雄ネジ部の近傍に該中心導体の軸線方向と直交する方向に延びるネジ穴が設けられ、
後端にネジ部を有し、先端の外周に前記中心導体の先端の雄ネジ部と同径同ピッチの雄ネジ部を有するとともに、先端の軸芯部に前記中心導体の先端の端子挿入穴と同形状同寸法の端子挿入穴を有する分岐導体が設けられて、該分岐導体の後端のネジ部が前記中心導体のネジ穴に螺合され、
ナット取付け孔と該ナット取付け孔よりも小径に形成されて該ナット取付け孔と軸線を共有した電線挿通孔とを内部に有して該ナット取付け孔及び電線挿通孔をそれぞれ一端側及び他端側に開口させたつまみ碍子と、一端を前記つまみ碍子の一端側に開口させた状態で該ナット取付け孔内に固定された筒状ナットと、一端を前記筒状ナットの開口部側に向けた状態で該筒状ナット内に配置されていて他端側に電線の芯線を接続する電線接続部とつば部とを有するとともに前記端子挿入穴のテーパ孔部に嵌合するテーパ部を中間部に有する丸棒状の給電用端子と、前記筒状ナット内で給電用端子を取り囲むように形成されるとともに外周部にネジ部を有して該ネジ部が前記筒状ナットの内周の雌ネジに螺合された給電用端子止めリングとからなる電線接続具が１対設けられて、該１対の電線接続具の一方及び他方の筒状ナットがそれぞれ前記中心導体の先端の雄ネジ部及び分岐導体の先端の雄ネジ部に螺合されるとともに該一方及び他方の電線接続具の給電用端子がそれぞれ中心導体の端子挿入穴及び分岐導体の端子挿入穴内に挿入され、
各電線接続具の筒状ナットの他端付近の内周に雌ネジを有しないネジ無し部が形成されるとともに、該筒状ナットの他端に前記給電用端子の他端を貫通させる端子貫通孔が形成され、
前記端子貫通孔は前記ネジ無し部の内径よりも小径に形成されて、該ネジ無し部と端子貫通孔との間に給電用端子のつば部に対向する端子締付用段部が形成され、
各電線接続具の筒状ナットを対応する雄ネジ部に螺合させて締め付けた際に前記端子締付け用段部が該電線接続具の給電用端子のつば部を押圧して該給電用端子を端子挿入穴側に付勢するように各電線接続具の筒状ナットの軸線方向寸法が設定され、
各電線接続具の筒状ナットを緩めた状態で該筒状ナットと給電用端子との間に相対的な回転が生じるのを許容するように前記給電用端子止めリングと端子締付用段部との間の間隔及びネジ無し部の内径が設定されていることを特徴とする変圧器用ブッシング。
【発明の詳細な説明】
【０００１】
【産業上の利用分野】
本発明は、配電用変圧器に取り付ける変圧器用ブッシングに関するものである。
【０００２】
【従来の技術】
配電用変圧器においては、変圧器タンクに高圧ブッシング及び低圧ブッシングを取り付けて、高圧配電線につながる電線を高圧ブッシングに接続し、低圧ブッシングに需要家につながる低圧配電線を接続している。この場合に用いる高圧ブッシングは、絶縁碍子と、絶縁碍子内を貫通した状態で設けられて一端が該絶縁碍子の一端側に固定されるとともに他端が該絶縁碍子の他端から外部に導出された中心導体とを備えていて、該中心導体の他端に設けられた電線接続部に電線が接続される。
【０００３】
最近の柱上変圧器では、電灯負荷と動力負荷とに対して電源の共用化を図るために、２台の変圧器をＶ結線して運転することが多く行われている。図１８は、２台の単相変圧器Ｔa 及びＴb が設けられる場合の変圧器相互間及び変圧器と配電線との間の接続を示したもので、２台の変圧器Ｔa 及びＴb にはそれぞれ高圧ブッシング１a1，１a2及び１b1，１b2が設けられている。この例では、３相の高圧配電線Ｕ，Ｖ及びＷにそれぞれカットアウトスイッチＳu ，Ｓv 及びＳw を介して接続された高圧引き下げ線Ｌu ，Ｌv 及びＬw が、変圧器Ｔa のブッシング１a1，１a2及び変圧器Ｔb のブッシング１b2に接続されている。また変圧器Ｔa のブッシング１a2と変圧器Ｔb のブッシング１b1との間がＶ結線用リード線Ｌabを介して接続されて変圧器Ｔa ，Ｔb がＶ結線されている。変圧器Ｔa 及びＴb には図示しない低圧ブッシングが取り付けられていて、該低圧ブッシングに需要家につながる低圧配電線が接続されている。
【０００４】
近年コンピュータをはじめとする各種の高機能電気製品の普及に伴って、電力の安定供給の要請が強くなっており、配電線に対する工事を無停電で行うことが必要になっている。また社会の就業意識の変化により、高度な熟練技能を要し、危険を伴う現行の電気工事のありかたを見直すことが必要とされ、変圧器用ブッシングにおいても、電線の接続を安全かつ簡単に行い得るようにすることが要請されている。
【０００５】
上記のような変圧器が設けられている配電系統において、カットアウトスイッチＳu 〜Ｓw の取換え工事や、特定区間の高圧配電線Ｕ〜Ｗの張替え工事等を行う場合には、変圧器Ｔa 及びＴb の高圧ブッシング１a1，１a2及び１b2にそれぞれ健全区間の高圧配電線につながるバイパス線を接続して需要家への電力の供給を確保した後、高圧引き下げ線Ｌu 〜Ｌw を外して、無停電で工事を行うようにすることが望ましい。
【０００６】
ところが、従来広く用いられていた高圧ブッシングは、その中心導体に電線を接続する箇所を１つしか備えていなかったため、バイパス線を接続し、高圧引き下げ線を切り離す作業を無停電で行うことは困難であった。
【０００７】
そのため上記のような工事を行う場合には、工事現場に移動変圧器車を出動させて、該移動変圧器車に搭載された変圧器に、健全区間の高圧配電線に接続したバイパス線を引き込み、移動変圧器車の低圧ブッシングに接続した低圧バイパス線を需要家につながる配電線に接続することにより需要家への電力の供給を確保した後に高圧引き下げ線を切り離すようにしていた。
【０００８】
このように、従来の変圧器用ブッシングを用いた場合には、高圧配電線に対する工事を行う際に移動変圧器車を出動させる必要があり、それに伴って準備する必要がある資材及び人員が多くなるため、工事費が高くなるのを避けられなかった。
【０００９】
そこで、実開平３−１９２６１号に示されているように、高圧ブッシングの中心導体の端部に電線を接続した状態で更にバイパス線を接続し得るようにした変圧器用ブッシングが提案された。この既提案の変圧器用ブッシングでは、中心導体の端部に雄ネジ部を設けて、該雄ネジ部に高圧引き下げ線を接続するための電線接続具を取り付け得るようにするとともに、該雄ネジ部の近傍にバイパス線接続用のネジ穴を設けて、該ネジ穴にバイパス線接続具を取り付けるようにしている。バイパス線接続具は、バイパス線の端部に設けられた端子金具がボルト止めされたネジ付きの接触子と、該接触子を保持する絶縁操作棒とを備えたもので、絶縁操作棒を手で持って接触子のネジ部をブッシングの中心導体のネジ穴にねじ込むことにより、ブッシングの中心導体に取り付ける。
【００１０】
【発明が解決しようとする課題】
１台の変圧器のみが設置される場合、または２台の変圧器が共通のタンク内に収納されてＶ結線される場合に、実開平３−１９２６１号に示された変圧器用ブッシングを用いると、中心導体の電線接続部に高圧引き下げ線を接続した状態で、バイパス線接続具の接触子のネジ部を中心導体のバイパス線接続用のネジ穴にねじ込むことによりバイパス線を接続することができるため、無停電で高圧配電線に対する工事を行うことができる。
【００１１】
しかしながら、この従来の変圧器用ブッシングでは、中心導体の端部に設けられた雄ネジ部に取り付けられる電線接続具により複数の電線を接続することはできないため、タンクを異にする２台の変圧器をＶ結線する場合には対応することができないという問題があった。
【００１２】
なお上記の変圧器用ブッシングが取り付けられた２台の変圧器を敢えてＶ結線するために、バイパス線接続用のネジ穴に端子ボルトをねじ込んで、この端子ボルトによりＶ結線用リード線を中心導体に接続することも考えられる。しかしながら、このようにした場合には、活線状態でバイパス線の接続を行うことが困難であり、またバイパス線の接続を確実に行うことが困難である。
【００１３】
本発明の目的は、中心導体に２本の電線を容易に接続し得るようにして、中心導体への電線の接続の自由度を高めることができるようにした変圧器用ブッシングを提供することにある。
【００１４】
本発明の他の目的は、２台の変圧器がＶ結線される場合に、中心導体へのバイパス線の接続を容易に行うことができるようにした変圧器用ブッシングを提供することにある。
【００１５】
【課題を解決するための手段】
本発明は、絶縁碍子２と、絶縁碍子２内を貫通した状態で設けられて先端が該絶縁碍子の先端から外部に導出された中心導体３とを備えて、該中心導体の先端の外周に雄ネジ部３０５が設けられ、中心導体の先端の軸芯部には開口端部にテーパ孔部を有する端子挿入穴３０７が形成されている変圧器用ブッシングに係わるものである。
【００１６】
本発明においては、上記中心導体３の先端の雄ネジ部３０５の近傍に該中心導体の軸線方向と直交する方向に延びるネジ穴３０６が設けられている。また、後端にネジ部５０１を有し、先端の外周に中心導体３の先端の雄ネジ部３０５と同径同ピッチの雄ネジ部５０２を有するとともに、先端の軸芯部に中心導体３の先端の端子挿入穴３０７と同形状同寸法の端子挿入穴５０３を有する分岐導体５が設けられて、該分岐導体の後端のネジ部５０１が中心導体３のネジ穴３０６に螺合されている。
【００１７】
本発明ではまた、１対の電線接続具４，４´が設けられて、該１対の電線接続具の一方４及び他方４´がそれぞれ上記中心導体３の先端の雄ネジ部３０５及び分岐導体の先端の雄ネジ部５０２に取り付けられる。
【００１８】
各電線接続具は、ナット取付け孔４０３と該ナット取付け孔よりも小径に形成されて該ナット取付け孔と軸線を共有した電線挿通孔４０４とを内部に有して該ナット取付け孔及び電線挿通孔をそれぞれ一端側及び他端側に開口させたつまみ碍子４Ａ（図８参照）と、一端をつまみ碍子の一端側に開口させた状態で該ナット取付け孔内に固定された筒状ナット４Ｂ（図９参照）と、一端を筒状ナット４Ｂの開口部側に向けた状態で該筒状ナット内に配置されていて他端側に電線の芯線を接続する電線接続部４１４とつば部４１２とを有するとともに、端子挿入穴のテーパ孔部３０７または５０３に嵌合するテーパ部４１１を中間部に有する丸棒状の給電用端子４Ｃ（図１０参照）と、筒状ナット４Ｂ内で給電用端子４Ｃを取り囲むように形成されるとともに外周部にネジ部を有して該ネジ部が前記筒状ナットの内周の雌ネジに螺合された給電用端子止めリング４Ｄとからなっている。
【００１９】
上記１対の電線接続具４，４´の一方４及び他方４´の筒状ナット４Ｂがそれぞれ中心導体３の先端の雄ネジ部３０５及び分岐導体５の先端の雄ネジ部５０２に螺合され、該一方及び他方の電線接続具４及び４´の給電用端子４Ｃがそれぞれ中心導体３の端子挿入穴３０７及び分岐導体の端子挿入穴５０３内に挿入される。
【００２０】
各電線接続具の筒状ナット４Ｂの他端付近の内周に雌ネジを有しないネジ無し部４０６（図９参照）が形成されるとともに、該筒状ナットの他端に給電用端子の他端を貫通させる端子貫通孔４０７が形成されている。端子貫通孔４０７はネジ無し部４０６の内径よりも小径に形成されていて、該ネジ無し部４０６と端子貫通孔４０７との間に給電用端子４Ｃのつば部４１２に対向する端子締付用段部４０８が形成されている。
【００２１】
そして各電線接続具の筒状ナット４Ｂを各雄ネジ部に螺合させて締め付けた際に端子締付け用段部４０８が該電線接続具の給電用端子４Ｃのつば部４１２を押圧して該給電用端子を端子挿入穴側に付勢するように、各電線接続具の筒状ナットの軸線方向寸法が設定され、各電線接続具の筒状ナットを緩めた状態で該筒状ナットと給電用端子との間に相対的な回転が生じるのを許容するように給電用端子止めリング４Ｄと端子締付用段部４０８との間の間隔及びネジ無し部４０６の内径が設定されている。
【００２２】
中心導体３に接続される電線の芯線は、中心導体３の先端の雄ネジ部に取り付けられた電線接続具４及び（または）分岐導体５の雄ネジ部５０２に取り付けられた電線接続具４´のそれぞれの給電用端子の電線接続部に圧縮接続等により接続される。電線接続具を雄ネジ部に螺合させて締め付けた際に、各給電用端子が端子挿入穴内に押し込まれ、各給電用端子のテーパ部が端子挿入穴のテーパ孔部に嵌合した状態で締め付けられて、各電線が給電用端子を介して中心導体に電気的に接続される。
【００２３】
【作用】
上記のように、ブッシングの中心導体の先端に雄ネジ部を設けるとともに、該雄ネジ部の近傍に設けたネジ穴に取り付けた分岐導体の先端に、中心導体の先端の雄ネジ部と同径同ピッチの雄ネジ部を設けて、中心導体の先端の雄ネジ部及び分岐導体の先端の雄ネジ部にそれぞれ同様に構成された電線接続具を取り付けておくと、中心導体の先端部及び分岐導体のいずれにも同じように電線を接続することができるため、変圧器用ブッシングに対する電線の接続の自由度を高めることができ、変圧器の種々の設置状態に容易に対応することができる。
【００２４】
また上記のように中心導体に互換性がある２つの電線接続具を、それぞれの取付け方向を異ならせて取り付けるように構成しておくと、２台の変圧器をＶ結線する場合に、Ｖ結線用リード線及び高圧引き下げ線の双方を容易かつ確実に接続することができ、更に高圧配電線に対する工事を行う場合には、バイパス線を接続することもできる。この場合、各電線接続具はつまみ碍子を備えているため、バイパス線の接続は活線状態で行うことができ、無停電で配電線に対する工事を行わせることができる。
【００２５】
【実施例】
図１は本発明の実施例の変圧器用ブッシング１の全体的な構成を示した縦断面図であり、図２ないし図１３は図１の実施例の各部を構成する部品の詳細を示した部品図または組立図である。
【００２６】
本実施例のブッシング１は、絶縁碍子２と、絶縁碍子２内を貫通した状態で設けられて該絶縁碍子に対して固定されるとともに先端３ａが絶縁碍子の先端２ａから外部に導出された中心導体３と、中心導体３の先端に形成された第１の端子部Ｐに取り付けられた電線接続具４と、中心導体３の雄ネジ部３０５の近傍に取付けられた分岐導体５の先端に形成された第２の端子部Ｑに取り付けられた電線接続具４´とを備えている。以下各部の構成を詳細に説明する。
【００２７】
本実施例では、絶縁碍子２が、変圧器タンク６に固定される主碍子２Ａと、中心導体３に固定された補助碍子２Ｂとからなっている。
【００２８】
主碍子２Ａは、その後端側に位置する管状の首下部２０１と、中間部に設けられて首下部２０１よりも大径に形成された首部２０２と、該主碍子の先端側にあって首部２０２よりも更に大径に形成された筒状の頭部２０３とを一体に有している。
【００２９】
主碍子の頭部２０３は、中心導体３を同心的に取り囲む内周壁２０３ａと、内周壁２０３ａを同心的に取り囲む外周壁２０３ｂとを一体に有し、内周壁２０３ａの内側に形成された空間の底部には断面円形の凹部２０３ｃを有している。
【００３０】
主碍子２Ａの首部２０２内及び首下部２０１内には中空部２０４が形成され、該中空部と頭部２Ａの内側に形成された凹部２０３ｃとの境界部を貫通させて、連通穴２０５が形成されている。連通穴２０５は中空部２０４及び凹部２０３ｃの内径よりも小さく設定され、連通穴２０５の中空部２０４側の開口端周辺及び凹部２０３ｃ側の開口端周辺にそれぞれ位置決め用段部２０６及び２０７が形成されている。
【００３１】
首下部２０１と首部２０２との間には段部２０８が形成され、ブッシングを変圧器に取り付ける際には、首下部２０１が変圧器タンク６に設けられた取付け孔６ａを貫通した状態で配置されて、段部２０８がガスケット７を介して取付け孔６ａの周辺部に当接される。首下部２０１の外周に周設された溝に環状の取付けバネ８が嵌着され、首下部２０１に嵌合された取付け金具９の内周部が取付けバネ８に当接されている。取付け金具９に設けられた複数のネジ孔にそれぞれネジ１０が螺合されてそれぞれのネジ１０の先端が変圧器タンク６の内面に当接され、これらのネジの締め付けにより絶縁碍子２がタンク６に対して固定される。
【００３２】
中心導体３は、丸棒状に形成された主導体３Ａと、該主導体３Ａの後端部に中継導体３Ｂを介して連結された内部口出導体３Ｃとからなり、主導体３Ａと中継導体３Ｂ及び中継導体３Ｂと口出導体３Ｃとはそれぞれネジ結合により連結されている。中継導体３Ｂ及び口出導体３Ｃは主碍子の首部２０２及び首下部２０１の内部に形成された中空部２０４内に配置されて、中継導体３Ｂが段部２０６に当接されて軸線方向に位置決めされている。絶縁を強化するため、中空部２０４内にはエポキシ樹脂等の絶縁樹脂からなる充填材２０９が充填されている。
【００３３】
主導体３Ａは、図２（Ａ），（Ｂ）に示したように、主碍子の頭部の軸芯部に配置された棒状部３０１と、該棒状部の後端部に形成された小径部３０２と、棒状部３０１と小径部３０２との間の境界部に形成されたつば部３０３とを有し、小径部３０２の端部に形成されたネジ部３０２ａが主碍子の連通穴２０５を通して中継導体３Ｂのネジ穴に螺合されて、主導体３Ａと中継導体３Ｂとが連結されている。つば部３０３と段部２０７との間にはガスケット１１が挿入されている。
【００３４】
主導体３Ａの先端部（中心導体３の先端部）３ａの外周には、第１の端子部Ｐを構成する雄ネジ部３０５が設けられ、該雄ネジ部３０５の手前の位置には、中心導体３の軸線方向に対して直角な方向に延びるネジ穴３０６が形成されている。また中心導体３の先端の軸芯部には、該中心導体の先端の端面に開口した端子挿入穴３０７が形成され、該端子挿入穴３０７の開口端部は、該端子挿入穴の開口端部側に向って次第に径が大きくなる向きのテーパがつけられたテーパ孔部３０７ａとなっている。更に、主導体３Ａの中間部には軸線方向に延びるキー溝３０８とネジ部３０９（図２参照）とが形成されている。また端子挿入穴３０７内に侵入した空気及び水を抜くため、主導体３Ａの雄ネジ部３０５に隣接する位置に、主導体の軸線と直交する方向に延びる貫通孔３１０が形成され、該貫通孔３１０は端子挿入穴３０７の最深部に連通させられている。
【００３５】
補助碍子２Ｂは、中心導体３及び分岐導体５等の充電部を隠蔽して感電事故を防ぐとともに、主碍子２Ａの内周壁２０３ａと外周壁２０３ｂとの間に形成された深溝部Ｇ内に海水等が浸入してブッシングの漏れ電流を増大させるのを防ぐために設けられている。この補助碍子２Ｂは、図３（Ａ），（Ｂ）に示したように、中心導体３の主導体３Ａを同心的に取り囲むように形成されていて、きのこ状の突出部２１０ａを有する後端部２１０と先端が開口した周壁部２１１とを有し、周壁部２１１には電線接続具取付け用の横孔２１２が設けられている。
【００３６】
補助碍子２Ｂの後端部の内側には、図４（Ａ），（Ｂ）に示したようなガイド金具２１３がセメントまたは樹脂等の接着剤２１４により固定され、該ガイド金具が主導体３Ａの外周に嵌合されている。ガイド金具２１３にはキー２１５がはんだ付け等により固定され、該キー２１５が主導体３Ａに設けられたキー溝３０８に嵌合されて補助碍子２Ｂが軸線方向に位置決めされている。主導体３Ａに設けられたネジ部３０９には、図５（Ａ），（Ｂ）に示したようにリング状の部材の内周に雌ネジ２１６ａを形成した補助碍子固定ナット２１６が螺合され、該ナット２１６の締め付けにより補助碍子２Ｂが主導体３Ａに固定されている。図５（Ａ），（Ｂ）において、２１６ｂはナット２１６を緩めたり締め付けたりする工具を係入するための溝である。
【００３７】
補助碍子２Ｂは、その後端部２１０が主碍子の頭部２Ａの内周壁２０３ａの内側に挿入された状態になるように位置決めされており、突出部２１０ａが内周壁２０３ａ及び外周壁２０３ｂの開口端部に所定の間隙を介して対向させられている。
【００３８】
分岐導体５は、図６（Ａ）〜（Ｃ）に示したように、後端に小径のネジ部５０１を有し、先端の外周に中心導体３の先端のネジ部３０５と同径同ピッチの雄ネジ部５０２を有するとともに、先端の軸芯部に端子挿入穴５０３を有する丸棒状の部材からなっていて、図７に示すように、そのネジ部５０１がネジ穴３０６にねじ込まれて中心導体３に取り付けられている。分岐導体５を中心導体３のネジ穴にねじ込む際には、ネジ部５０１に接着剤を塗布して、該接着剤によりネジ部５０１をネジ穴３０６に強固に結合するようにするのが好ましい。分岐導体５の雄ネジ部５０２はネジ部５０１よりも大径に形成されているため、雄ネジ部５０２とネジ部５０１との間に形成された平坦な段部５０５が中心導体のネジ穴３０６の周辺部に直接またはワッシャを介して接触し、この接触により分岐導体５と中心導体３との電気的な導通が図られる。
【００３９】
分岐導体５の先端の端子挿入穴５０３は、中心導体の先端の端子挿入穴３０７と同形状同寸法に形成されていて、該端子挿入穴５０３の開口端部はテーパ孔部５０３ａとなっている。また端子挿入穴５０３内に浸入した空気及び水を抜くため、該端子挿入穴５０３の最深部に連通させて、分岐導体５の軸線方向と直交する方向に延びる貫通孔５０４が形成されている。この分岐導体５の先端の雄ネジ部５０２が第２の端子部Ｑを構成している。
【００４０】
中心導体３の先端に形成された第１の端子部Ｐ（雄ネジ部３０５）、及び分岐導体５の先端に形成された第２の端子部Ｑ（雄ネジ部５０２）には、互換性を有する電線接続具４及び４´が取り付けられる。これらの電線接続具の構成は全く同一であるので、以下第１の端子部Ｐに取り付けられる電線接続具４の構成を図８ないし図１２を参照して説明する。
【００４１】
電線接続具４は、図８に示すつまみ碍子４Ａと、図９に示す筒状ナット４Ｂと、図１０に示す給電用端子４Ｃと、図１１に示す端子止めナット４Ｄとにより構成されている。更に詳細に説明すると、つまみ碍子４Ａ（図８Ａ，Ｂ参照）は、図示しない間接活線作業用工具を係入するための溝部４０１ａを外周部に多数有する頭部４０１と、該頭部の一端側に形成された首部４０２とからなっていて、その内側には、ナット取付け孔４０３と、該ナット取付け孔よりも小径に形成されて該ナット取付け孔と軸線を共有した電線挿通孔４０４とが形成されている。ナット取付け孔４０３及び電線挿通孔４０４はそれぞれつまみ碍子の一端側及び他端側に開口するように設けられ、端子挿入穴４０３の内周面はセメントの接着性を強固にするために粗面にされている。
【００４２】
つまみ碍子４Ａのナット取付け孔４０３内には、図９に示す筒状ナット４Ｂが挿入されている。筒状ナット４Ｂは、その一端をつまみ碍子の一端側に開口させた状態で配置されていて、セメント１２によりつまみ碍子４Ａに固定されている（図１，図１２参照）。筒状ナット４Ｂの内周の大部分には雌ネジ４０５が形成されているが、該ナットの他端付近の内周には雌ネジを有しないネジ無し部４０６が形成されている。また筒状ナット４Ｂの他端には、後記する給電用端子４Ｃの他端を貫通させる端子貫通孔４０７が形成されている。端子貫通孔４０７はネジ無し部４０６の内径よりも小径に形成されて、該ネジ無し部と端子貫通孔４０７との間に給電用端子のつば部に対向する端子締付用段部４０８が形成されている。
【００４３】
給電用端子４Ｃは、図１０に示したように、一端側及び他端側にそれぞれ形成された小径部４０９及び大径部４１０と、小径部４０９と大径部４１０との間に形成されたテーパ部４１１と、大径部４１０の中間部に形成されたつば部４１２とを有する丸棒状の部材からなり、テーパ部４１１は、中心導体の端子挿入穴３０７のテーパ孔部３０７ａに隙間なく嵌合する形状に形成されている。
【００４４】
また給電用端子４Ｃの大径部には、該給電用端子の他端側に開口した電線挿入穴４１３が形成され、該電線挿入穴４１３を取り囲む周壁部が電線接続部４１４となっている。
【００４５】
給電用端子４Ｃは、図１２に示したように、その電線接続部４１４にワッシャ４１５を嵌合させた状態で、かつその一端を筒状ナット４Ｂの一端側（ナット取付け孔４０３の開口部側）に向けた状態で、筒状ナット４Ｂ内に挿入されている。そして図１１（Ａ），（Ｂ）に示したように、筒状ナット４Ｂ内で給電用端子４Ｃを取り囲むようにリング状に形成されて外周部に雄ネジ４１６が設けられた給電用端子止めリング４Ｄが設けられて、該給電用端子止めリング４Ｄのネジ部４１６が筒状ナット４Ｂの雌ネジ４０５に螺合され、この端子止めリング４Ｄにより、給電用端子４Ｃの筒状ナット４Ｂからの抜け止めが図られている。給電用端子止めリング４Ｄにも、工具を係入するための溝４１７が形成されている。
【００４６】
上記の電線接続具４は、給電用端子４Ｃを中心導体３の先端の端子挿入穴３０７内に挿入した状態で、その筒状ナット４Ｂを中心導体の先端の雄ネジ部３０５に螺合させることにより、中心導体の第１の端子部Ｐに取り付ける。
【００４７】
そして本実施例では、このように電線接続具４の筒状ナット４Ｂを雄ネジ部３０５に螺合させて締め付けた際に、端子締付け用段部４０８が給電用端子４Ｃのつば部４１２を押圧して該給電用端子を端子挿入穴３０７側に付勢するように、筒状ナット４Ｂの軸線方向寸法が設定されている。また電線接続具４の筒状ナット４Ｂを緩めた状態で該筒状ナットと給電用端子４Ｃとの間に相対的な回転が生じるのを許容するように、給電用端子止めリング４Ｄと端子締付用段部４０８との間の間隔及びネジ無し部４０６の内径が設定されている。このように、筒状ナット４Ｂと給電用端子４Ｃとの間に相対的な回転が生じるのを許容するようにしておくと、つまみ碍子４Ａを回転させた際に給電用端子４Ｃに接続された電線が捩じれることがないため、断線を生じさせることなく、電線接続具の取り付けを容易に行わせることができる。
【００４８】
分岐導体５に設けられた第２の端子部Ｑへの電線接続具４´の取り付けも上記と全く同様に行われる。即ち、電線接続具４´の給電用端子４Ｃを分岐導体５の端子挿入穴５０３内に挿入し、筒状ナット４Ｂを給電用端子４Ｃの先端の雄ネジ部５０２に螺合させることにより、電線接続具４´を第２の端子部Ｑに取り付ける。電線接続具４´を分岐導体５の雄ネジ部５０２に取り付けた状態では、該電線接続具４´のつまみ碍子４Ａの首部４０２が、補助碍子２Ｂの横孔２１２内に挿入された状態になる。
【００４９】
電線接続具４，４´に電線を接続する手順は、図１３（Ａ）ないし（Ｃ）に示す通りである。即ち、電線接続具４，４´に電線を接続する際には、まず図１３（Ａ）に示すように、給電用端子４Ｃを取り外した状態で、電線２０をつまみ碍子４Ａの電線挿通孔４０４内及び筒状ナット４Ｂ内を貫通させて、その先端を筒状ナット４Ｂの開口端から突出させる。次いで図１３（Ｂ）に示したように、電線２０の芯線２０ａを給電用端子４Ｃの電線接続部４１４の内側の穴に挿入し、電線接続部４１４を圧縮することにより該電線接続部４１４と芯線２０ａとを接続する。その後図１３（Ｃ）に矢印で示した方向に電線２０を引いて給電用端子４Ｃを筒状ナット４Ｂ内に挿入し、給電用端子止めリング４Ｄの外周のネジ部を筒状ナット４Ｂの内周の雌ネジに螺合させることにより、給電用端子４Ｃの抜け止めを図る。
【００５０】
２台の変圧器Ｔa ，Ｔb をＶ結線する際に用いるＶ結線用リード線Ｌabを構成する場合には、図１４に示したように、電線２０の両端に電線接続具４（または４´）を接続する。
【００５１】
なおブッシングに設けられた２つの電線接続具４，４´の内、電線が接続されない方の電線接続具の電線挿通孔４０４には、ゴム栓２１を挿入して、電線接続具の内部の充電部を隠蔽するようにしておく。図１に示した例では、第２の端子部Ｑに取り付けられた電線接続具４´に電線２０が接続され、第１の端子部Ｐに取り付けられた電線接続具４の電線挿通孔４０４内にゴム栓２１が挿入されている。
【００５２】
上記のように構成された変圧器用ブッシング１は、通常その軸線を斜め下方に向けた状態で、かつ第２の端子部Ｑを斜め上方に向けた状態で変圧器タンクの側壁に取り付けられ、各ブッシングの中心導体３の後端部（内部口出導体３Ｃ）が変圧器タンク内の変圧器本体の１次巻線に接続される。
【００５３】
今２台の変圧器Ｔa 及びＴb が装柱されているものとし、変圧器Ｔa に設けられる高圧ブッシング１a1，１a2、及び変圧器Ｔb に設けられる高圧ブッシング１b1及び１b2として、図１に示したブッシング１が用いられているものとする。２台の変圧器Ｔa 及びＴb が電柱に取り付けられたハンガーの上に並べて設置（ハンガー装柱）される場合には、２台の変圧器の間に比較的大きな間隔が確保され、図１５（Ａ）に示すように２台の変圧器Ｔa ，Ｔb の隣り合うブッシング１a2，１b1間の間隔に余裕があるため、各ブッシングを斜め下方に向けて取り付けておけば、各ブッシングの中心導体３の先端の第１の端子部Ｐ（雄ネジ部３０５）への電線接続具の着脱を容易に行うことができる。従って、例えば図１５（Ａ）に示すように、Ｖ結線用リード線Ｌabの一端及び他端をそれぞれ電線接続具４´及び４を介して変圧器Ｔa のブッシング１a2の第２の端子部Ｑ及び変圧器Ｔb のブッシング１b1の第１の端子部Ｐに接続することにより、変圧器Ｔa 及びＴb をＶ結線し、変圧器Ｔa のブッシング１a1の第２の端子部Ｑ、変圧器Ｔb のブッシング１b1の第２の端子部Ｑ、及び変圧器Ｔb のブッシング１b2の第２の端子部Ｑにそれぞれ、変圧器の上方に配置された高圧配電線につながる高圧引き下げ線Ｌu ，Ｌv 及びＬw の下端を電線接続具４´を介して接続することにより、各高圧引き下げ線の接続及びＶ結線用リード線の接続を容易に行うことができる。また高圧配電線の工事を行う場合には、斜め下方に向いているブッシング１a1，１a2及び１b2の先端の第１の端子部Ｐにそれぞれ電線接続具４を介してバイパス線を容易に接続することができる。
【００５４】
なお図１５（Ａ）の例において、Ｖ結線用リード線Ｌabをブッシング１a2の第１の端子部Ｐとブッシング１b1の第２の端子部Ｑとの間に接続し、ブッシング１a2の第２の端子部Ｑに中相の高圧引き下げ線Ｌv を接続するようにしてもよいのはもちろんである。
【００５５】
また２台の変圧器Ｔa 及びＴb が電柱に直接取り付けられる（直付け装柱される）場合には、２台の変圧器の間の間隔を広くとることができず、２台の変圧器の隣り合うブッシング１a2及び１b1の間の間隔に余裕がないため、ブッシング１a2及び１b1の中心導体の先端の第１の端子部Ｐへの電線接続具の着脱を容易に行うことはできない場合がある。このような場合に、中相のバイパス線（２台の変圧器の隣り合うブッシングに接続されるバイパス線）をブッシング１a2または１b1の第１の端子部に接続するようにしておくと、その接続が困難になる。そこでこの場合には、図１５（Ｂ）に示すように、２台の変圧器Ｔa 及びＴb の隣り合うブッシング１a2及び１b1の第１の端子部Ｐ，Ｐ間にＶ結線用リード線Ｌabを接続する。そして、高圧配電線の工事の際に、バイパス線ＢＬu 〜ＢＬw を接続する場合には、図１６に示したように、両端相のバイパス線ＢＬu 及びＢＬw をそれぞれ変圧器Ｔa のブッシング１a1の第１の端子Ｐ及び変圧器Ｔb のブッシング１b2の第１の端子Ｐに接続し、中相のバイパス線ＢＬv を変圧器Ｔa のブッシング１a2の第２の端子部Ｑに接続する。
【００５６】
高圧配電線に対する工事を行う際の手順は図１７（Ａ）ないし（Ｃ）に示す通りである。この例では、図１５（Ａ）に示した例と同様に、２台の変圧器Ｔa 及びＴb がハンガ装柱されて、ブッシング１a2の第２の端子部Ｑとブッシング１b1の第１の端子部Ｐとの間がＶ結線用リード線Ｌabにより接続されているものとし、ブッシング１a1，１b1及び１b2のそれぞれの第２の端子部Ｑに配電線Ｕ，Ｖ及びＷからそれぞれ引き下げられた高圧引き下げ線Ｌu ，Ｌv 及びＬw が電線接続具４´を介して接続されているものとする。配電線Ｕ〜Ｗの張り替え工事や、カットアウトスイッチＳu 〜Ｓw の取替え工事を行う際には、図１７（Ｂ）に示したように、ブッシング１a1，１a2及び１b2のそれぞれの第１の端子部Ｐに高圧配電線の健全区間に接続されたバイパス線ＢＬu ，ＢＬv 及びＢＬw を電線接続具４を介して接続する。次いで図１７（Ｃ）に示したように、高圧引き下げ線Ｌu 〜Ｌw を変圧器のブッシングから取り外し、高圧配電線Ｕ〜Ｗを停電させて工事を行う。
【００５７】
上記のように、変圧器用ブッシング１の中心導体３の先端に第１の端子部Ｐを構成する雄ネジ部３０５を設けるとともに、該雄ネジ部の近傍に設けたネジ穴に取り付けた分岐導体５の先端に、中心導体３の先端の雄ネジ部３０５と同径同ピッチの雄ネジ部５０２を設けて第２の端子部Ｑを構成し、中心導体の先端の雄ネジ部３０５及び分岐導体の先端の雄ネジ部５０２にそれぞれ同様に構成された電線接続具４を取り付けるように構成すると、中心導体の先端部の第１の端子部Ｐ及び分岐導体の先端の第２の端子部Ｑのいずれにも同じように電線を接続することができるため、変圧器ブッシングに対する電線の接続の自由度を高めることができ、変圧器の種々の設置状態に容易に対応することができる。
【００５８】
また電線接続具と電線との接続は現場で容易に行うことができるため、変圧器に対する配線を行う際には、変圧器の据付現場で、実際の変圧器の据付状況（変圧器相互間の間隔、変圧器のブッシングと配電線との間の距離等）に応じて、高圧引き下げ線やＶ結線用リード線の長さを最適な値に調整した後に電線接続具を取り付けることにより、電線の長さに過不足がない適確な配線を行うことができる。
【００５９】
また上記のように中心導体３に互換性がある２つの電線接続具４，４´を、それぞれの取付け方向を異ならせて取り付けるように構成すると、２台の変圧器をＶ結線する場合に、Ｖ結線用リード線及び高圧引き下げ線の双方を容易かつ確実に接続することができ、高圧配電線に対する工事を行う場合には、バイパス線を容易に接続することができる。バイパス線の接続は、つまみ碍子を間接活線作業用工具により把持して電線接続具を操作することにより、熟練を要すること無く、容易かつ安全に行うことができる。
【００６０】
更に上記のように構成すると、１種類の電線接続具を製作すればよいので、部品の種類を少なくすることができ、コストの低減を図ることができる。
【００６１】
上記の説明では、本発明に係わるブッシングを斜め下方に向けて取り付けるとしたが、その取付け方向は任意であり、水平方向に向けて取り付けたり、斜め上方に向けて取り付けたりすることもできる。
【００６２】
【発明の効果】
以上のように、本発明によれば、ブッシングの中心導体の先端部及び該中心導体に取り付けた分岐導体の先端部にそれぞれ同様の雄ネジ部と端子挿入穴とを設けて、両雄ネジ部及び端子挿入穴に互換性がある電線接続具を取り付けることができるようにしたので、ブッシングに対する電線の接続の自由度を高めることができ、変圧器の種々の設置態様に容易に対応することができる。
【００６３】
また本発明によれば、中心導体に互換性がある２つの電線接続具を、それぞれの取付け方向を異ならせて取り付けるように構成したので、２台の変圧器をＶ結線する場合に、Ｖ結線用リード線及び高圧引き下げ線の双方を容易かつ確実に接続することができ、更に高圧配電線に対する工事を行う場合には、バイパス線を容易に接続することができる。この場合、各電線接続具はつまみ碍子を備えているため、バイパス線の接続は活線状態で行うことができ、無停電で配電線に対する工事を行わせることができる。
【００６４】
更に本発明によれば、２つの電線接続具が互換性を有するので部品の種類を少なくして、コストの低減を図ることができる。
【図面の簡単な説明】
【図１】本発明の実施例の全体的な構成を示した縦断面図である。
【図２】（Ａ）及び（Ｂ）はそれぞれ同実施例で用いる主導体の正面図及び要部の縦断面図である。
【図３】（Ａ）及び（Ｂ）はそれぞれ同実施例で用いる補助碍子の正面図及び縦断面図である。
【図４】（Ａ）は同実施例で補助碍子を固定するために用いるガイド金具の正面図である。（Ｂ）は（Ａ）のＡ−Ａ線断面図である。
【図５】（Ａ）は同実施例で用いる補助碍子固定ナットの正面図である。（Ｂ）は（Ａ）のＢ−Ｂ線断面図である。
【図６】（Ａ）及び（Ｂ）はそれぞれは同実施例で用いる分岐導体の正面図及び上面図である。（Ｃ）は（Ａ）のＣ−Ｃ線断面図である。
【図７】主導体と分岐導体との結合構造を説明するための断面図である。
【図８】（Ａ）は本発明の実施例で用いるつまみ碍子の半部を断面して示した側面図である。（Ｂ）は同つまみ碍子の正面図である。
【図９】同実施例で用いる筒状ナットの半部を断面して示した正面図である。
【図１０】同実施例で用いる給電用端子の半部を断面して示した正面図である。
【図１１】（Ａ）は同実施例で用いる給電用端子止めリングの正面図である。（Ｂ）は（Ａ）のＤ−Ｄ線断面図である。
【図１２】本発明の実施例で用いる電線接続具の組立構造を説明するための断面図である。
【図１３】（Ａ），（Ｂ）及び（Ｃ）はそれぞれ電線接続具に電線を接続する際の手順を順に示した断面図である。
【図１４】２台の変圧器をＶ結線する際に用いるリード線の構造を示した断面図である。
【図１５】（Ａ）はハンガー装柱された２台の変圧器をＶ結線して各変圧器用ブッシングに高圧引き下げ線を接続した状態を示した説明図である。（Ｂ）は直付け装柱された２台の変圧器をＶ結線して各変圧器用ブッシングに高圧引き下げ線を接続した状態を示した説明図である。
【図１６】図１５（Ｂ）の例で各変圧器用ブッシングにバイパス線を接続した状態を示した説明図である。
【図１７】（Ａ），（Ｂ）及び（Ｃ）はそれぞれ、図１５（Ａ）の例において、変圧器用ブッシングにバイパス線を接続して高圧引き下げ線を切り離す際の手順を順に示した説明図である。
【図１８】２台の変圧器をＶ結線して各ブッシングに高圧引き下げ線を接続する場合の従来の接続の仕方を示した説明図である。
【符号の説明】
１  変圧器用ブッシング
２  絶縁碍子
２Ａ  主碍子
２Ｂ  補助碍子
３  中心導体
３Ａ  主導体
３Ｂ  中継導体
３Ｃ  内部口出導体
３０５  雄ネジ部
３０６  ネジ穴
３０７  端子挿入穴
３０７ａ  テーパ孔部
４，４´  電線接続具
４Ａ  つまみ碍子
４Ｂ  筒状ナット
４Ｃ  給電用端子
４Ｄ  給電用端子止めリング
４０６  ネジ無し部
４０７  端子貫通孔
４０８  端子締付用段部
５  分岐導体
５０１  ネジ部
５０２  雄ネジ
５０３  端子挿入穴
５０３ａ  テーパ孔部
【図１】
0003827345.tif 000002
【図２】
0003827345.tif 000003
【図３】
0003827345.tif 000004
【図４】
0003827345.tif 000005
【図５】
0003827345.tif 000006
【図６】
0003827345.tif 000007
【図７】
0003827345.tif 000008
【図８】
0003827345.tif 000009
【図９】
0003827345.tif 000010
【図１０】
0003827345.tif 000011
【図１１】
0003827345.tif 000012
【図１２】
0003827345.tif 000013
【図１３】
0003827345.tif 000014
【図１４】
0003827345.tif 000015
【図１５】
0003827345.tif 000016
【図１６】
0003827345.tif 000017
【図１７】
0003827345.tif 000018
【図１８】
0003827345.tif 000019